(57)【要約】【課題】複数の発熱体の熱を効率よく冷却することができる冷却装置を提供すること。【解決手段】本発明の第１の実施の形態における冷却装置１０００は、第１のヒートパイプ１０と、複数の第２のヒートパイプ２０と、選択制御部１１０と、動作制御部１２０とを備えている。第１のヒートパイプ１０は、環状に形成されている。複数の第２のヒートパイプ２０には、発熱体３０が各々取り付けられている。複数の第２のヒートパイプ２０では、第１のヒートパイプ１０との接続部６０が第１のヒートパイプ１０に沿って環状に設けられている。選択制御部１１０は、複数の第２のヒートパイプ２０の一部を、所定時間毎に、変更しながら選択する。動作制御部１２０は、選択制御部１１０により選択された第２のヒートパイプ２０に取り付けられた発熱体３０を動作させる。【選択図】      図１
2018004123.tif 000002
【特許請求の範囲】
【請求項１】
環状に形成され、第１のヒートパイプと、
発熱体が各々取り付けられ、前記第１のヒートパイプに熱的に接続され、前記第１のヒートパイプとの接続部が前記第１のヒートパイプに沿って環状に設けられた複数の第２のヒートパイプと、
前記複数の第２のヒートパイプの一部を、所定時間毎に、変更しながら選択する選択制御部と、
前記選択制御部により選択された第２のヒートパイプに取り付けられた前記発熱体を動作させる動作制御部とを備えた冷却装置。
【請求項２】
前記選択制御部は、前記複数の第２のヒートパイプの一部を、所定時間毎に、前記第１のヒートパイプに沿って環状に回転移動させるように変更しながら選択する請求項１に記載の冷却装置。
【請求項３】
前記選択制御部は、前記第１のヒートパイプの中心を中心軸とした所定の角度内に含まれる前記第２のヒートパイプを、所定時間毎に、前記第１のヒートパイプに沿って環状に順次回転移動させるように変更しながら選択する請求項１に記載の冷却装置。
【請求項４】
前記第１および第２のヒートパイプを介して受熱する前記発熱体の熱を放熱する放熱部をさらに備えた請求項１〜３のいずれか１項に記載の冷却装置。
【請求項５】
前記第２のヒートパイプ毎に設けられ、前記第２のヒートパイプに取り付けられた発熱体に接続された複数のアンテナをさらに備えた請求項１〜４のいずれか１項に記載の冷却装置。
【発明の詳細な説明】
【技術分野】
【０００１】
本発明は、冷却装置に関し、例えば、発熱体の熱を冷却する冷却装置に関する。
【背景技術】
【０００２】
特許文献１には、宇宙船用の熱放射パネルが開示されている。この熱放射パネルには、第１および第２のヘッダヒートパイプ５０２、５０４と、複数のスプレッダヒートパイプ５７０が、設けられている。複数のスプレッダヒートパイプ５７０の両端部は、Ｊ字状に形成されており、第１および第２のヘッダヒートパイプ５０２、５０４に熱的に接続されている。複数のスプレッダヒートパイプ５７０上のオーバーラップ領域Ｏ（発熱体）で発生する熱は、複数のスプレッダヒートパイプ５７０により上方に伝達された後、各スプレッダヒートパイプ５７０から第１のヘッダヒートパイプ５０２へ伝達される。このように、特許文献１では、複数の発熱体で発生する熱を、複数のスプレッダヒートパイプ５７０から第１のヘッダヒートパイプ５０２へ伝達させることで、各発熱体の熱を冷却している。
【０００３】
特許文献２には、電車用補助電源装置が開示されている。この電車用補助電源装置では、３つのヒートパイプ１２ａ４が受熱放熱板１２ａの貫通孔に挿入されている。また、複数のフィン１２ｃ２が受熱放熱板１２ａに形成されている。トランジスタモジュール６３Ｍ１、６３Ｍ２は、電力用半導体であり、受熱部１２ａ２の側面１２ａ５、１２ａ６にそれぞれと取り付けられている。トランジスタモジュール６３Ｍ１、６３Ｍ２（発熱体）により発生する熱は、３つのヒートパイプ１２ａ４によって冷却されるとともに、３つのヒートパイプ１２ａ３を介して複数のフィン１２ｃ２に伝達される。複数のフィン１２ｃ２は、トランジスタモジュール６３Ｍ１、６３Ｍ２により発生する熱を放熱する。このように、複数の発熱体で発生する熱を、複数のヒートパイプ１２ａ４から複数のフィン１２ｃ２へ伝達することで、各発熱体の熱を冷却している。
【０００４】
なお、本発明に関係する技術が、特許文献３にも開示されている。
【先行技術文献】
【特許文献】
【０００５】
【特許文献１】特開平０６−１９１５００号公報
【特許文献２】特開平０６−１５１６６５号公報
【特許文献３】特許３５１１６０４号公報
【発明の概要】
【発明が解決しようとする課題】
【０００６】
しかしながら、特許文献１および特許文献２に記載の発明では、複数の発熱体の一部が集中的に長時間に亘り動作した場合に、当該一部の発熱体に接続されているヒートパイプ等に過大な熱が集中的に加わることがあった。この場合、ヒートパイプ等が冷却可能な総熱量を超えて、発熱体の熱が特定のヒートパイプ等に加わってしまい、複数の発熱体の熱を十分に冷却できないという問題があった。
【０００７】
本発明は、このような事情を鑑みてなされたものであり、本発明の目的は、複数の発熱体の熱を効率よく冷却することができる冷却装置を提供することにある。
【課題を解決するための手段】
【０００８】
本発明の冷却装置は、環状に形成され、第１のヒートパイプと、発熱体が各々取り付けられ、前記第１のヒートパイプに熱的に接続され、前記第１のヒートパイプとの接続部が前記第１のヒートパイプに沿って環状に設けられた複数の第２のヒートパイプと、前記複数の第２のヒートパイプの一部を、所定時間毎に、変更しながら選択する選択制御部と、前記選択制御部により選択された第２のヒートパイプに取り付けられた前記発熱体を動作させる動作制御部とを備えている。
【発明の効果】
【０００９】
本発明にかかる冷却装置によれば、複数の発熱体の熱を効率よく冷却することができる。
【図面の簡単な説明】
【００１０】
【図１】本発明の第１の実施の形態における冷却装置の構成を示す概略図である。
【図２】本発明の第１の実施の形態における冷却装置の一部を示す側面図である。
【図３】本発明の第１の実施の形態における冷却装置の一部を示す上面図である。
【図４】本発明の第１の実施の形態における冷却装置の一部を示す断面図である。
【図５】本発明の第２の実施の形態における冷却装置の構成を示す概略図である。
【図６】本発明の第２の実施の形態における冷却装置の一部を示す外観斜視図である。
【図７】本発明の第２の実施の形態における冷却装置の一部を示す断面図である。
【図８】本発明の第２の実施の形態における冷却装置の一部を示す外観斜視図である。
【図９】本発明の第２の実施の形態における冷却装置の一部を示す外観斜視図である。
【図１０】本発明の第２の実施の形態における冷却装置の一部を示す側面図である。
【図１１】本発明の第２の実施の形態における冷却装置の一部を示す平面図である。
【図１２】本発明の第１および第２の実施形態における冷却装置等を実現する情報処理装置の一例を示す図である。
【発明を実施するための形態】
【００１１】
＜第１の実施の形態＞
本発明の第１の実施の形態における冷却装置１０００の構成について説明する。図１は、冷却装置１０００の構成を示す概略図である。図２は、冷却装置１０００の一部を示す側面図である。図３は、冷却装置１０００の一部を示す上面図である。図４は、冷却装置１０００の一部を示す断面図であって、図３のＡ−Ａ切断面における断面図である。
【００１２】
図１に示されるように、冷却装置１０００は、第１のヒートパイプ１０と、第２のヒートパイプ２０と、発熱体３０と、放熱部４０と、アンテナ５０と、制御部１００とを備えている。
【００１３】
冷却装置１０００は、たとえば、レーダ装置、画像伝送装置、通信装置（たとえば、データセンターで使用されている通信装置）および船舶ソーナー等に、用いることができる。
【００１４】
図１〜図４に示されるように、第１のヒートパイプ１０は、環状に形成されている。第１のヒートパイプ１０は、熱導電性部材により形成されている。第１のヒートパイプ１０は、受熱した熱を冷却する。第１のヒートパイプ１０には、複数の第２のヒートパイプ２０が熱的に接続されている。第１のヒートパイプ１０は、例えば、特許文献３に記載の技術を用いて、形成することができる。
【００１５】
図１に示されるように、複数の第２のヒートパイプ２０が第１のヒートパイプ１０に熱的に接続されている。図２〜図４に示されるように、第２のヒートパイプ２０は、矩形の板状に形成されている。図２〜図４に示されるように、第２のヒートパイプ２０の一方の面には、複数の発熱体３０が取り付けられている。複数の第２のヒートパイプ２０は、第１のヒートパイプ１０に熱的に接続されている。また、複数の第２のヒートパイプ２０は、第１のヒートパイプ１０に対して垂直方向に延在するように設けられている。図３に示されるように、複数の第２のヒートパイプ２０および第１のヒートパイプ１０の接続部６０は、第１のヒートパイプ１０に沿って環状に設けられている。なお、接続部６０は、たとえば、複数の第２のヒートパイプ２０および第１のヒートパイプ１０の間を半田付け等により電気的に接続することによって、形成される。第２のヒートパイプ２０は、熱導電性部材により形成されている。第２のヒートパイプ２０は、受熱した熱を冷却する。第１のヒートパイプ２０は、例えば、特許文献３に記載の技術を用いて、形成することができる。
【００１６】
図２〜図４に示されるように、複数の発熱体３０は、第２のヒートパイプ２０の一方の面には、取り付けられている。なお、前述の通り、図１では、複数の発熱体３０を簡素化して１つの発熱体３０として示している。発熱体３０の数は、１つ以上であればよい。発熱体３０および第２のヒートパイプ２０の間に、グリースを塗布することもできる。これにより、発熱体３０および第２のヒートパイプ２０の間の熱抵抗を低減することができる。また、発熱体３０は、第２のヒートパイプ２０の両面に、取り付けられてもよい。発熱体３０は、動作することで熱を発する電子部品である。発熱体３０は、たとえば、中央演算処理装置（Central Processing Unit：ＣＰＵ）や集積回路（Multi-chip Module：ＭＣＭ）などである。
【００１７】
図３に示されるように、複数の放熱部４０は、第１のヒートパイプ１０に沿って環状に配置されている。複数の放熱部４０は、第１のヒートパイプ１０および第２のヒートパイプ２０を介して、発熱体３０の熱を受熱する。また、複数の放熱部４０は、受熱した発熱体３０の熱を放熱する。図２〜図４に示されるように、複数の放熱部４０は、複数の第２のヒートパイプ２０上に取り付けられている。しかしながら、複数の放熱部４０は、第１のヒートパイプ１０および第２のヒートパイプ２０を介して、発熱体３０の熱を受熱することができればよく、図２〜図４に示される取り付け形態に限定されない。複数の放熱部４０は、たとえば、第１のヒートパイプ１０上に取り付けられても良い。
【００１８】
図１に示されるように、複数のアンテナ５０は、複数の第２のヒートパイプ２０の各々に取り付けられた発熱体３０に電気的に接続されている。各アンテナ５０は、当該アンテナ５０に接続された発熱体３０の電力によって、動作する。図２〜図４に示されるように、複数のアンテナ５０の各々は、第２のヒートパイプ２０上に取り付けられている。しかしながら、複数のアンテナ５０は、複数の第２のヒートパイプ２０の各々に取り付けられた発熱体３０に電気的に接続されていればよく、第２のヒートパイプ２０上に取り付けられなくてもよい。図３に示されるように、複数のアンテナ５０は、第１のヒートパイプ１０に沿って環状に設けられている。また、複数のアンテナ５０の各々は、指向性を有している。図３の例では、１２個のアンテナ５０の全てで全方位（３６０度）をカバーできるように、各アンテナ５０の指向性が設定されている。
【００１９】
図１に示されるように、制御部１００は、ロータリスイッチ２００に接続されている。制御部１００は、ロータリスイッチ２００を制御する。制御部１００は、選択制御部１１０と、動作制御部１２０とを備えている。
【００２０】
図１に示されるように、選択制御部１１０は、制御部１００に含まれている。ここで、図１に示されるように、複数の第２のヒートパイプ２０の各々に取り付けられた発熱体３０には、スイッチ端子ＳＷ１〜ＳＷ１２が電気的に接続されている。選択制御部１１０は、複数の第２のヒートパイプ２０の一部を、所定時間毎に、変更しながら選択する。すなわち、選択制御部１１０は、複数の第２のヒートパイプ２０の各々に取り付けられた発熱体３０に電気的に接続されたスイッチ端子ＳＷ１〜ＳＷ１２の一部を、所定時間毎に変更しながら選択する。なお、スイッチ端子ＳＷ１〜ＳＷ１２の数は、第２のヒートパイプ２０の数に対応して設定される。スイッチ端子ＳＷ１〜ＳＷ１２を区別する必要がない場合、スイッチ端子ＳＷ１〜ＳＷ１２を総称してスイッチ端子ＳＷとする。
【００２１】
図１に示されるように、動作制御部１２０は、制御部１００に含まれている。動作制御部１２０は、選択制御部１１０により選択された第２のヒートパイプ２０に取り付けられた発熱体３０を動作させる。すなわち、動作制御部１２０は、選択制御部１１０により選択された第２のヒートパイプ２０上の発熱体３０に電気的に接続されたスイッチ端子ＳＷに、ロータリスイッチ２００を合わせる。これにより、選択されたスイッチ端子ＳＷおよび制御部１００が電気的に接続される。この結果、動作制御部１２０は、選択されたＳＷに電気的に接続された発熱体３０を動作させることができる。
【００２２】
図１に示されるように、ロータリスイッチ２００は、制御部１００に電気的に接続されている。また、ロータリスイッチ２００は、制御部１００の制御によって、スイッチ端子ＳＷ１〜ＳＷ１２の一部に接続することができる。
【００２３】
図１に示されるように、スイッチ端子ＳＷ１〜ＳＷ１２は、複数の第２のヒートパイプ２０の各々に取り付けられた発熱体３０に、電気的に接続されている。
【００２４】
以上、冷却装置１０００の構成について、説明した。
【００２５】
次に、冷却装置１０００の動作について、説明する。
【００２６】
冷却装置１０００の電源がオンになると、制御部１００の選択制御部１１０は、複数の第２のヒートパイプ２０の一部を、所定時間毎に、変更しながら選択する。たとえば、選択制御部１１０は、複数の第２のヒートパイプ２０の一部を、所定時間毎に、第１のヒートパイプ１０に沿って環状に回転移動させるように変更しながら選択する。すなわち、選択制御部１１０は、複数の第２のヒートパイプ２０の各々に取り付けられた発熱体３０に電気的に接続されたスイッチ端子ＳＷを、所定時間毎に変更しながら選択する。
【００２７】
次に、動作制御部１２０は、選択制御部１１０により選択された第２のヒートパイプ２０に取り付けられた発熱体３０を動作させる。すなわち、動作制御部１２０は、選択制御部１１０により選択された第２のヒートパイプ２０上の発熱体３０に電気的に接続されたスイッチ端子ＳＷに、ロータリスイッチ２００を合わせる。これにより、選択されたスイッチ端子ＳＷおよび制御部１００の間が電気的に接続される。この結果、動作制御部１２０は、選択されたスイッチ端子ＳＷに電気的に接続された発熱体３０を動作させることができる。
【００２８】
より具体的には、まず、選択制御部１１０は、ＳＷ１を選択する。そして、動作制御部１２０は、スイッチ端子ＳＷ１に、ロータリスイッチ２００を合わせる。これにより、スイッチ端子ＳＷ１および制御部１００の間が電気的に接続される。この結果、動作制御部１２０は、スイッチ端子ＳＷ１に電気的に接続された発熱体３０を動作させることができる。
【００２９】
次に、選択制御部１１０は、所定時間（たとえば３秒）が経った後、ＳＷ２を選択する。そして、動作制御部１２０は、スイッチ端子ＳＷ２に、ロータリスイッチ２００を合わせる。これにより、スイッチ端子ＳＷ２および制御部１００の間が電気的に接続される。この結果、動作制御部１２０は、スイッチ端子ＳＷ２に電気的に接続された発熱体３０を動作させることができる。
【００３０】
さらに、選択制御部１１０は、所定時間が経った後、ＳＷ３を選択する。そして、動作制御部１２０は、スイッチ端子ＳＷ３に、ロータリスイッチ２００を合わせる。これにより、スイッチ端子ＳＷ３および制御部１００の間が電気的に接続される。この結果、動作制御部１２０は、スイッチ端子ＳＷ３に電気的に接続された発熱体３０を動作させることができる。
【００３１】
このように、選択制御部１１０は、第１のヒートパイプ１０に沿って環状に、ＳＷ１〜ＳＷ１２を所定時間毎に順次選択する。また、動作制御部１２０は、選択制御部１１０により選択された第２のヒートパイプ２０に取り付けられた発熱体３０を、順次動作させる。これにより、動作している発熱体３０は、所定時間毎に、第１のヒートパイプ１０に沿って環状に、変更される。
【００３２】
この間、動作している発熱体３０の熱は、当該発熱体３０が取り付けられている第２のヒートパイプ２０に伝わった後、第１のヒートパイプ１０に伝わり、放熱部４０へ伝わる。そして、放熱部４０は、外気に対して、発熱体３０の熱を放熱する。また、第１のヒートパイプ１０および第２のヒートパイプ２０も、発熱体３０の熱を受け取りながら、これを冷却する。さらに、動作している発熱体３０の熱は、当該動作中の発熱体３０が取り付けられている第２のヒートパイプ２０を介して、第１のヒートパイプ１０に伝わった後、動作していない発熱体３０が取り付けられている第２のヒートパイプ２０にも伝わる。これにより、動作している発熱体３０の熱は、当該動作中の発熱体３０が取り付けられている第２のヒートパイプ２０と、第１のヒートパイプ１０と、動作していない発熱体３０が取り付けられている第２のヒートパイプ２０でも、冷却される。これにより、各発熱体３０の熱を冷却することができる。
【００３３】
以上、冷却装置１０００の動作について説明した。
【００３４】
以上の通り、本発明の第１の実施の形態における冷却装置１０００は、第１のヒートパイプ１０と、複数の第２のヒートパイプ２０と、選択制御部１１０と、動作制御部１２０とを備えている。第１のヒートパイプ１０は、環状に形成されている。複数の第２のヒートパイプ２０には、発熱体３０が各々取り付けられている。複数の第２のヒートパイプ２０は、第１のヒートパイプ１０に熱的に接続されている。複数の第２のヒートパイプ２０では、第１のヒートパイプ１０との接続部６０が第１のヒートパイプ１０に沿って環状に設けられている。選択制御部１１０は、複数の第２のヒートパイプ２０の一部を、所定時間毎に、変更しながら選択する。動作制御部１２０は、選択制御部１１０により選択された第２のヒートパイプ２０に取り付けられた発熱体３０を動作させる。
【００３５】
このように、複数の第２のヒートパイプ２０と、環状の第１のヒートパイプ１０の接続部６０は、第１のヒートパイプ１０に沿って環状に設けられている。また、複数の第２のヒートパイプ２０には、発熱体３０が各々取り付けられている。このため、発熱体３０の熱は、発熱体３０が取り付けられた第２のヒートパイプ２０に伝わった後、第２のヒートパイプ２０に接続された第１のヒートパイプ１０に伝わる。このように、第１のヒートパイプ１０および第２のヒートパイプ２０の双方で、発熱体３０の熱を受け取りながら、これを冷却する。
【００３６】
また、第１のヒートパイプ１０は環状に形成されており、複数の第１のヒートパイプ１０は第１のヒートパイプ１０に熱的に接続されている。このため、動作している発熱体３０の熱は、当該動作中の発熱体３０が取り付けられている第２のヒートパイプ２０を介して、第１のヒートパイプ１０に伝わった後、動作していない発熱体３０が取り付けられている第２のヒートパイプ２０にも伝わる。これにより、動作している発熱体３０の熱は、当該動作中の発熱体３０が取り付けられている第２のヒートパイプ２０と、第１のヒートパイプ１０と、動作していない発熱体３０が取り付けられている第２のヒートパイプ２０でも、冷却される。この結果、複数の第１のヒートパイプ１０が第１のヒートパイプ１０に熱的に接続されていない場合と比較して、発熱体３０の熱を冷却することができる部材の総面積を大きくすることができる。
【００３７】
また、選択制御部１１０は、複数の第２のヒートパイプ２０の一部を、所定時間毎に、変更しながら選択する。動作制御部１２０は、選択制御部１１０により選択された第２のヒートパイプ２０に取り付けられた発熱体３０を動作させる。このため、複数の第２のヒートパイプ２０に取り付けられた発熱体３０のうち、動作する発熱体３０は、所定時間毎に変更される。これにより、特定の発熱体３０に電気的に接続された特定の第２のヒートパイプ２０に過大な熱が集中的に加わることを抑制することができる。したがって、第２のヒートパイプ２０が冷却可能な熱量を超えることを抑止することができる。
【００３８】
以上の通り、本発明の第１の実施の形態における冷却装置１０００では、とくに、動作する発熱体３０を所定時間毎に変更される。また、動作している発熱体３０の熱が、当該動作中の発熱体３０が取り付けられている第２のヒートパイプ２０を介して、第１のヒートパイプ１０に伝わった後、動作していない発熱体３０が取り付けられている第２のヒートパイプ２０にも伝わる。これにより、複数の第１のヒートパイプ１０が第１のヒートパイプ１０に熱的に接続されていない場合と比較して、発熱体３０の熱を放熱することができる部材の総面積を大きくすることができる。また、特定の発熱体３０に電気的に接続された特定の第２のヒートパイプ２０に過大な熱が集中的に加わることを抑制することができる。したがって、第２のヒートパイプ２０が冷却可能な熱量を超えることを抑止することができる。
【００３９】
このため、冷却装置１０００によれば、複数の発熱体３０の熱を効率よく冷却することができる。
【００４０】
本発明の第１の実施の形態における冷却装置１０００において、選択制御部１１０は、複数の第２のヒートパイプ２０の一部を、所定時間毎に、第１のヒートパイプ１０に沿って環状に回転移動させるように変更しながら選択する。そして、動作制御部１２０は、選択制御部１１０により選択された第２のヒートパイプ２０に取り付けられた発熱体３０を動作させる。これにより、第１のヒートパイプ１０に沿って環状に、動作する発熱体３０を順次変更することができる。このため、各発熱体３０が取り付けられた第２のヒートパイプ２０に加わる熱を、全第２のヒートパイプ２０の間で、均一にすることができる。この結果、特定の発熱体３０に電気的に接続された特定の第２のヒートパイプ２０に過大な熱が集中的に加わることをより効率よく抑制することができる。したがって、第２のヒートパイプ２０が冷却可能な熱量を超えることを、より効率よく抑止することができる。
【００４１】
本発明の第１の実施の形態における冷却装置１０００において、選択制御部１１０は、第１のヒートパイプ１０の中心を中心軸とした所定の角度内に含まれる第２のヒートパイプ２０を、所定時間毎に、第１のヒートパイプ１０に沿って環状に順次回転移動させるように変更しながら選択する。そして、動作制御部１２０は、選択制御部１１０により選択された第２のヒートパイプ２０に取り付けられた発熱体３０を動作させる。これにより、第１のヒートパイプ１０に沿って環状に、動作する複数の発熱体３０を順次変更することができる。このため、各発熱体３０が取り付けられた第２のヒートパイプ２０に加わる熱を、全第２のヒートパイプ２０の間で、均一にすることができる。この結果、特定の発熱体３０に電気的に接続された特定の第２のヒートパイプ２０に過大な熱が集中的に加わることをより効率よく抑制することができる。したがって、第２のヒートパイプ２０が冷却可能な熱量を超えることを、より効率よく抑止することができる。
【００４２】
本発明の第１の実施の形態における冷却装置１０００は、放熱部４０をさらに備えている。放熱部４０は、第１および第２のヒートパイプ１０、２０を介して受熱する発熱体３０の熱を放熱する。これにより、発熱体３０の熱をより効率よく冷却することができる。
【００４３】
本発明の第１の実施の形態における冷却装置１０００は、複数のアンテナ５０をさらに備えている。複数のアンテナ５０は、第２のヒートパイプ２０毎に設けられている。複数のアンテナ５０は、第２のヒートパイプ２０に取り付けられた発熱体３０に接続されている。これにより、動作する発熱体３０に接続されたアンテナ５０を、指向性を持たせて動作させることができる。
【００４４】
＜第２の実施の形態＞
本発明の第２の実施の形態における冷却装置１０００Ａの構成について説明する。図５は、冷却装置１０００Ａの構成を示す概略図である。図６は、冷却装置１０００Ａの一部を示す外観斜視図である。図７は、冷却装置１０００Ａの一部を示す断面図である。図８は、冷却装置１０００Ａの一部を示す外観斜視図である。図９は、冷却装置１０００Ａの一部を示す外観斜視図である。図１０は、冷却装置１０００Ａの一部を示す側面図である。図１１は、冷却装置１０００Ａの一部を示す平面図である。なお、図５では、図面作成上の便宜から、第２のヒートパイプ２０Ａの数を実際の数よりも少なくして表示している。また、図５〜図１１では、図１〜図４で示した各構成要素と同等の構成要素には、図１〜図４に示した符号と同等の符号を付している。
【００４５】
図５に示されるように、冷却装置１０００Ａは、第１のヒートパイプ１０Ａと、第２のヒートパイプ２０Ａと、発熱体３０と、放熱部４０ａ、４０ｂと、アンテナ５０と、冷却ファン部７０と、放熱部ホルダー８０、制御部１００とを備えている。
【００４６】
冷却装置１０００Ａは、たとえば、レーダ装置、画像伝送装置、通信装置（たとえば、データセンターで使用されている通信装置）および船舶ソーナー等に、用いることができる。
【００４７】
ここで、第１の実施の形態における冷却装置１０００と、第２の実施の形態における冷却装置１０００Ａとを対比する。図１および図５に示されるように、第２の実施の形態における冷却装置１０００Ａは、冷却ファン部７０および放熱部ホルダー８０を備えている点で、第１の実施の形態における冷却装置１０００と、相違する。また、詳細は後述するが、第２の実施の形態の第１のヒートパイプ１０Ａと、第２のヒートパイプ２０Ａと、放熱部４０ａ、４０ｂは、第１の実施の形態の第１のヒートパイプ１０と、第２のヒートパイプ２０と、放熱部４０と、構造面等で相違する。
【００４８】
図５〜図７に示されるように、第１のヒートパイプ１０Ａは、環状に形成されている。第１のヒートパイプ１０Ａは、熱導電性部材により形成されている。第１のヒートパイプ１０Ａは、受熱した熱を冷却する。第１のヒートパイプ１０Ａには、複数の第２のヒートパイプ２０が接続されている。第１のヒートパイプ１０Ａは、例えば、特許文献３に記載の技術を用いて、形成することができる。
【００４９】
図９〜図１１に示されるように、第２のヒートパイプ２０Ａは、矩形の板状に形成されている。第２のヒートパイプ２０Ａの一方の面には、複数の発熱体３０が取り付けられている。図６〜図８に示されるように、複数の第２のヒートパイプ２０Ａは、第１のヒートパイプ１０Ａに熱的に接続されている。複数の第２のヒートパイプ２０Ａは、第１のヒートパイプ１０Ａに対して垂直方向に延在するように設けられている。
【００５０】
図７に示されるように、複数の第２のヒートパイプ２０Ａおよび第１のヒートパイプ１０Ａの接続部６０Ａは、第１のヒートパイプ１０Ａに沿って環状に設けられている。なお、接続部６０Ａは、たとえば、複数の第２のヒートパイプ２０Ａおよび第１のヒートパイプ１０Ａの間を半田付け等により電気的に接続することによって、形成される。第２のヒートパイプ２０Ａは、熱導電性部材により形成されている。第２のヒートパイプ２０Ａは、受熱した熱を冷却する。第２のヒートパイプ２０Ａは、例えば、特許文献３に記載の技術を用いて、形成することができる。
【００５１】
発熱体３０は、第２のヒートパイプ２０Ａの一方の面には、取り付けられている。発熱体３０の数は、１つ以上であればよく、限定されない。また、発熱体３０および第２のヒートパイプ２０Ａの間に、グリースを塗布することもできる。これにより、発熱体３０および第２のヒートパイプ２０Ａの間の熱抵抗を低減することができる。また、発熱体３０は、第２のヒートパイプ２０Ａの両面に、取り付けられてもよい。
【００５２】
図６および図７に示されるように、複数の放熱部４０ａおよび複数の放熱部４０ｂは、第１のヒートパイプ１０Ａに沿って環状に配置されている。図７および図８に示されるように、放熱部４０ａおよび放熱部４０ｂは、土台部８１、第１の仕切り板８２および第２の仕切り板８３により囲われた空間に、設けられている。複数の放熱部４０ａおよび複数の放熱部４０ｂは、熱伝導性部材により形成されている。複数の放熱部４０ａおよび複数の放熱部４０ｂの各々は、第１のヒートパイプ１０Ａおよび第２のヒートパイプ２０Ａを介して、発熱体３０の熱を受熱する。また、複数の放熱部４０ａおよび複数の放熱部４０ｂは、受熱した発熱体３０の熱を放熱する。
【００５３】
図９〜図１１に示されるように、放熱部４０ａおよび放熱部４０ｂは、各第２のヒートパイプ２０Ａ上に取り付けられている。しかしながら、複数の放熱部４０ａおよび複数の放熱部４０ｂは、第１のヒートパイプ１０Ａおよび第２のヒートパイプ２０Ａを介して、発熱体３０の熱を受熱することができればよく、図９〜図１１に示される取り付け形態に限定されない。放熱部４０ａおよび放熱部４０ｂのうち、いずれか一方のみが、第２のヒートパイプ２０Ａ上に取り付けられても良い。また、複数の放熱部４０ａおよび複数の放熱部４０ｂは、たとえば、第１のヒートパイプ１０Ａ上に取り付けられても良い。
【００５４】
図５に示されるように、複数のアンテナ５０は、複数の第２のヒートパイプ２０Ａの各々に取り付けられた発熱体３０に電気的に接続されている。各アンテナ５０は、当該アンテナ５０に接続された発熱体３０の電力によって、動作する。各アンテナ５０は、発熱体３０の電力によって、電波を出力する。
【００５５】
複数のアンテナ５０の各々は、第１の実施の形態における冷却装置１０００と同様に、たとえば、第２のヒートパイプ２０Ａ上に取り付けられている。しかしながら、複数のアンテナ５０は、複数の第２のヒートパイプ２０Ａの各々に取り付けられた発熱体３０に電気的に接続されていればよく、第２のヒートパイプ２０Ａ上に取り付けられなくてもよい。図５に示されるように、複数のアンテナ５０は、第１のヒートパイプ１０Ａに沿って環状に設けられている。また、複数のアンテナ５０の各々は、指向性を有している。図３の例では、複数のアンテナ５０の全てで全方位（３６０度）をカバーできるように、各アンテナ５０の指向性が設定されている。
【００５６】
図５〜図８に示されるように、冷却ファン部７０は、第１のヒートパイプ１０Ａに取り付けられている。より具体的には、図６〜図８に示されるように、冷却ファン部７０は、土台部１１、第１の仕切り板１２および第２の仕切り板１３により囲われた空間に、設けられている。図７に示されるように、各冷却ファン部７０は、放熱部４０ａまたは放熱部４０ｂに向かい合うように配置されている。冷却ファン部７０は、少なくとも発熱体３０の動作している間に、動作する。すなわち、特定の第１のヒートパイプ２０Ａに取り付けられた発熱体３０が動作すると、全ての冷却ファン部７０が動作する。
【００５７】
図７および図８に示されるように、放熱部ホルダー８０１０Ａは、土台部８１と、第１の仕切り板８２と、第２の仕切り板８３とを備えている。
【００５８】
図７および図８に示されるように、土台部８１は、かたかなの「コ」の字状またはアルファベットの「Ｕ」の字状の断面を有し、環状に形成されている。土台部８１は、熱導電性部材により形成されている。土台部８１の内側には、放熱部４０ａ、４０ｂおよび冷却ファン部７０が収容される。
【００５９】
図７および図８に示されるように、第１の仕切り板８２は、土台部８１の環の延在方向に沿うとともに、第２のヒートパイプ２０Ａに対して略垂直方向に沿って、板状に設けられている。第１の仕切り板８２は、熱導電性部材により形成されている。
【００６０】
図７および図８に示されるように、第２の仕切り板８２は、土台部８１の環の延在方向に対して略垂直方向に沿うとともに、第２のヒートパイプ２０Ａに対して略平行方向に沿って、板状に設けられている。第１の仕切り板８２は、熱導電性部材により形成されている。
【００６１】
図７および図８に示されるように、土台部８１、第１の仕切り板８２および第２の仕切り板８３により囲われた空間に、放熱部４０ａ、４０ｂおよび冷却ファン部７０が設けられている。
【００６２】
図５に示されるように、制御部１００は、ロータリスイッチ２００に接続されている。制御部１００は、ロータリスイッチ２００を制御する。制御部１００は、選択制御部１１０と、動作制御部１２０とを備えている。選択制御部１１０および動作制御部１２０の接続関係および機能等は、第１の実施の形態と同様である。
【００６３】
図１に示されるように、ロータリスイッチ２００は、制御部１００に電気的に接続されている。また、ロータリスイッチ２００は、制御部１００の制御によって、スイッチ端子ＳＷ１〜ＳＷ１２の一部に接続することができる。
【００６４】
図１に示されるように、スイッチ端子ＳＷ１〜ＳＷ１２は、複数の第２のヒートパイプ２０の各々に取り付けられた発熱体３０に、電気的に接続されている。
【００６５】
以上、冷却装置１０００Ａの構成について、説明した。
【００６６】
次に、冷却装置１０００Ａの動作について、説明する。
【００６７】
冷却装置１０００Ａの電源がオンになると、制御部１００の選択制御部１１０は、複数の第２のヒートパイプ２０Ａの一部を、所定時間毎に、変更しながら選択する。たとえば、選択制御部１１０は、複数の第２のヒートパイプ２０Ａの一部を、所定時間毎に、第１のヒートパイプ１０Ａに沿って環状に回転移動させるように変更しながら選択する。すなわち、選択制御部１１０は、複数の第２のヒートパイプ２０Ａの各々に取り付けられた発熱体３０に電気的に接続されたスイッチ端子ＳＷを、所定時間毎に変更しながら選択する。
【００６８】
次に、動作制御部１２０は、選択制御部１１０により選択された第２のヒートパイプ２０Ａに取り付けられた発熱体３０を動作させる。すなわち、動作制御部１２０は、選択制御部１１０により選択された第２のヒートパイプ２０Ａ上の発熱体３０に電気的に接続されたスイッチ端子ＳＷに、ロータリスイッチ２００を合わせる。これにより、選択されたスイッチ端子ＳＷおよび制御部１００の間が電気的に接続される。この結果、動作制御部１２０は、選択されたスイッチ端子ＳＷに電気的に接続された発熱体３０を動作させることができる。
【００６９】
より具体的には、まず、選択制御部１１０は、ＳＷ１を選択する。そして、動作制御部１２０は、スイッチ端子ＳＷ１に、ロータリスイッチ２００を合わせる。これにより、スイッチ端子ＳＷ１および制御部１００の間が電気的に接続される。この結果、動作制御部１２０は、スイッチ端子ＳＷ１に電気的に接続された発熱体３０を動作させることができる。
【００７０】
次に、選択制御部１１０は、所定時間（たとえば３秒）が経った後、ＳＷ２を選択する。そして、動作制御部１２０は、スイッチ端子ＳＷ２に、ロータリスイッチ２００を合わせる。これにより、スイッチ端子ＳＷ２および制御部１００の間が電気的に接続される。この結果、動作制御部１２０は、スイッチ端子ＳＷ２に電気的に接続された発熱体３０を動作させることができる。
【００７１】
さらに、選択制御部１１０は、所定時間が経った後、ＳＷ３を選択する。そして、動作制御部１２０は、スイッチ端子ＳＷ３に、ロータリスイッチ２００を合わせる。これにより、スイッチ端子ＳＷ３および制御部１００の間が電気的に接続される。この結果、動作制御部１２０は、スイッチ端子ＳＷ３に電気的に接続された発熱体３０を動作させることができる。
【００７２】
なお、特定の第１のヒートパイプ２０Ａに取り付けられた発熱体３０が動作している間、制御部１００は全ての冷却ファン部７０を動作させる。これにより、動作する発熱体３０の熱を受熱する放熱部４０ａ、４０ｂを効率よく冷却することができる。なお、全ての冷却ファン７０は、冷却装置１０００Ａの電源がオンになってるときに、常に動作するように、設定されていてもよい。
【００７３】
このように、選択制御部１１０は、第１のヒートパイプ１０Ａに沿って環状に、ＳＷ１〜ＳＷ１２を所定時間毎に順次選択する。また、動作制御部１２０は、選択制御部１１０により選択された第２のヒートパイプ２０に取り付けられた発熱体３０を、順次動作させる。これにより、動作している発熱体３０は、所定時間毎に、第１のヒートパイプ１０Ａに沿って環状に、変更される。
【００７４】
この間、動作している発熱体３０の熱は、当該発熱体３０が取り付けられている第２のヒートパイプ２０Ａに伝わった後、第１のヒートパイプ１０Ａに伝わり、放熱部４０へ伝わる。そして、放熱部４０は、外気に対して、発熱体３０の熱を放熱する。また、第１のヒートパイプ１０Ａおよび第２のヒートパイプ２０Ａも、発熱体３０の熱を受け取りながら、これを冷却する。さらに、動作している発熱体３０の熱は、当該動作中の発熱体３０が取り付けられている第２のヒートパイプ２０Ａを介して、第１のヒートパイプ１０Ａに伝わった後、動作していない発熱体３０が取り付けられている第２のヒートパイプ２０Ａにも伝わる。これにより、動作している発熱体３０の熱は、当該動作中の発熱体３０が取り付けられている第２のヒートパイプ２０Ａと、第１のヒートパイプ１０Ａと、動作していない発熱体３０が取り付けられている第２のヒートパイプ２０Ａでも、冷却される。これにより、各発熱体３０の熱を冷却することができる。
【００７５】
以上、冷却装置１０００Ａの動作について説明した。
【００７６】
以上の通り、本発明の第２の実施の形態における冷却装置１０００Ａは、第１のヒートパイプ１０Ａと、複数の第２のヒートパイプ２０Ａと、複数の放熱部４０と、選択制御部１１０と、動作制御部１２０とを備えている。第１のヒートパイプ１０Ａは、環状に形成されている。複数の第２のヒートパイプ２０Ａには、発熱体３０が各々取り付けられている。複数の第２のヒートパイプ２０Ａは、第１のヒートパイプ１０Ａに熱的に接続されている。複数の第２のヒートパイプ２０Ａでは、第１のヒートパイプ１０Ａとの接続部６０Ａが第１のヒートパイプ１０に沿って環状に設けられている。選択制御部１１０は、複数の第２のヒートパイプ２０Ａの一部を、所定時間毎に、変更しながら選択する。動作制御部１２０は、選択制御部１１０により選択された第２のヒートパイプ２０Ａに取り付けられた発熱体３０を動作させる。
【００７７】
このように、複数の第２のヒートパイプ２０Ａと、環状の第１のヒートパイプ１０Ａの接続部６０Ａは、第１のヒートパイプ１０Ａに沿って環状に設けられている。また、複数の第２のヒートパイプ２０Ａには、発熱体３０が各々取り付けられている。このため、発熱体３０の熱は、発熱体３０が取り付けられた第２のヒートパイプ２０Ａに伝わった後、第２のヒートパイプ２０Ａに接続された第１のヒートパイプ１０Ａに伝わる。このように、第１のヒートパイプ１０Ａおよび第２のヒートパイプ２０Ａも、発熱体３０の熱を受け取りながら、これを冷却する。
【００７８】
また、第１のヒートパイプ１０Ａは環状に形成されており、複数の第１のヒートパイプ１０Ａは第１のヒートパイプ１０Ａに熱的に接続されている。このため、動作している発熱体３０の熱は、当該動作中の発熱体３０が取り付けられている第２のヒートパイプ２０Ａを介して、第１のヒートパイプ１０Ａに伝わった後、動作していない発熱体３０が取り付けられている第２のヒートパイプ２０Ａにも伝わる。これにより、動作している発熱体３０の熱は、当該動作中の発熱体３０が取り付けられている第２のヒートパイプ２０Ａと、第１のヒートパイプ１０Ａと、動作していない発熱体３０が取り付けられている第２のヒートパイプ２０Ａでも、冷却される。この結果、複数の第１のヒートパイプ１０Ａが第１のヒートパイプ１０Ａに熱的に接続されていない場合と比較して、発熱体３０の熱を放熱することができる部材の総面積を大きくすることができる。
【００７９】
また、選択制御部１１０は、複数の第２のヒートパイプ２０Ａの一部を、所定時間毎に、変更しながら選択する。動作制御部１２０は、選択制御部１１０により選択された第２のヒートパイプ２０Ａに取り付けられた発熱体３０を動作させる。このため、複数の第２のヒートパイプ２０Ａに取り付けられた発熱体３０のうち、動作する発熱体３０は、所定時間毎に変更される。これにより、特定の発熱体３０に電気的に接続された特定の第２のヒートパイプ２０Ａに過大な熱が集中的に加わることを抑制することができる。したがって、第２のヒートパイプ２０Ａが冷却可能な熱量を超えることを抑止することができる。
【００８０】
以上の通り、本発明の第２の実施の形態における冷却装置１０００Ａでは、とくに、動作する発熱体３０を所定時間毎に変更される。また、動作している発熱体３０の熱が、当該動作中の発熱体３０が取り付けられている第２のヒートパイプ２０Ａを介して、第１のヒートパイプ１０Ａに伝わった後、動作していない発熱体３０が取り付けられている第２のヒートパイプ２０Ａにも伝わる。これにより、複数の第１のヒートパイプ１０Ａが第１のヒートパイプ１０Ａに熱的に接続されていない場合と比較して、発熱体３０の熱を放熱することができる部材の総面積を大きくすることができる。また、特定の発熱体３０に電気的に接続された特定の第２のヒートパイプ２０Ａに過大な熱が集中的に加わることを抑制することができる。したがって、第２のヒートパイプ２０Ａが冷却可能な熱量を超えることを抑止することができる。
【００８１】
このため、冷却装置１０００によれば、複数の発熱体３０の熱を効率よく冷却することができる。
【００８２】
本発明の第２の実施の形態における冷却装置１０００Ａにおいて、選択制御部１１０は、複数の第２のヒートパイプ２０Ａの一部を、所定時間毎に、第１のヒートパイプ１０Ａに沿って環状に回転移動させるように変更しながら選択する。そして、動作制御部１２０は、選択制御部１１０により選択された第２のヒートパイプ２０Ａに取り付けられた発熱体３０を動作させる。これにより、第１のヒートパイプ１０Ａに沿って環状に、動作する発熱体３０を順次変更することができる。このため、各発熱体３０が取り付けられた第２のヒートパイプ２０Ａに加わる熱を、全第２のヒートパイプ２０Ａの間で、均一にすることができる。この結果、特定の発熱体３０に電気的に接続された特定の第２のヒートパイプ２０Ａに過大な熱が集中的に加わることをより効率よく抑制することができる。したがって、第２のヒートパイプ２０Ａが放熱可能な熱量を超えることを、より効率よく抑止することができる。
【００８３】
本発明の第２の実施の形態における冷却装置１０００Ａにおいて、選択制御部１１０は、第１のヒートパイプ１０Ａの中心を中心軸とした所定の角度（たとえば、１２０°）内に含まれる第２のヒートパイプ２０Ａを、所定時間毎に、第１のヒートパイプ１０Ａに沿って環状に順次回転移動させるように変更しながら選択する。すなわち、動作制御部１２０は、選択制御部１１０により選択された第２のヒートパイプ２０Ａ上の発熱体３０に電気的に接続された複数のスイッチ端子ＳＷに、ロータリスイッチ２００を合わせることができる。具体的には、たとえば、選択制御部１１０は、ＳＷ１〜３を選択した後、ＳＷ２〜４を選択し、その後にＳＷ３〜ＳＷ６を選択するというように、スイッチ端子ＳＷを順次、選択する。そして、動作制御部１２０は、選択制御部１１０により選択された第２のヒートパイプ２０Ａに取り付けられた発熱体３０を動作させる。これにより、第１のヒートパイプ１０Ａに沿って環状に、動作する複数の発熱体３０を順次変更することができる。このため、各発熱体３０が取り付けられた第２のヒートパイプ２０Ａに加わる熱を、全第２のヒートパイプ２０Ａの間で、均一にすることができる。この結果、特定の発熱体３０に電気的に接続された特定の第２のヒートパイプ２０Ａに過大な熱が集中的に加わることをより効率よく抑制することができる。したがって、第２のヒートパイプ２０Ａが冷却可能な熱量を超えることを、より効率よく抑止することができる。
【００８４】
本発明の第２の実施の形態における冷却装置１０００Ａは、放熱部４０をさらに備えている。放熱部４０は、第１および第２のヒートパイプ１０Ａ、２０Ａを介して受熱する発熱体３０の熱を放熱する。これにより、発熱体３０の熱をより効率よく冷却することができる。
【００８５】
本発明の第１の実施の形態における冷却装置１０００Ａは、複数のアンテナ５０をさらに備えている。複数のアンテナ５０は、第２のヒートパイプ２０Ａ毎に設けられている。複数のアンテナ５０は、第２のヒートパイプ２０Ａに取り付けられた発熱体３０に接続されている。これにより、動作する発熱体３０に接続されたアンテナ５０を、指向性を持たせて動作させることができる。
【００８６】
なお、上述の各実施の形態の説明では、制御部１００の選択制御部１１０は、複数の第２のヒートパイプ２０、２０Ａの１つを、所定時間毎に、第１のヒートパイプ１０、２０Ａに沿って環状に回転移動させるように変更しながら選択していた。しかしながら、この形態に限定されず、選択制御部１１０は、複数の第２のヒートパイプ２０、２０Ａの一部を、所定時間毎に、変更しながら選択すればよい。たとえば、選択制御部１１０は、複数の第２のヒートパイプ２０、２０Ａの一部を、所定時間毎に、ランダムに変更しながら選択すればよい。すなわち、動作制御部１２０は、選択制御部１１０により選択された第２のヒートパイプ２０、２０Ａ上の発熱体３０に電気的に接続されたスイッチ端子ＳＷに、ロータリスイッチ２００をランダムに合わせることができる。具体的には、たとえば、選択制御部１１０は、ＳＷ１を選択した後、ＳＷ８を選択し、ＳＷ６を選択するというように、ランダムにスイッチ端子を選択してもよい。
【００８７】
また、選択制御部１１０は、複数の第２のヒートパイプ２０、２０Ａの各々に取り付けられた発熱体３０に電気的に接続された複数のスイッチ端子ＳＷを、所定時間毎に変更しながら選択してもよい。
【００８８】
なお、上述の各実施の形態の説明では、アンテナ５０が設けられると説明したが、アンテナ５０は本発明の必須の構成要素ではない。このため、アンテナ５０を設けなくてもよい。
【００８９】
また、上述の各実施の形態の説明では、複数の第２のヒートパイプ２０、２０Ａは、第１のヒートパイプ１０、１０Ａに対して垂直方向に延在するように設けられていると、説明した。しかしながら、かならずしも、複数の第２のヒートパイプ２０、２０Ａは、第１のヒートパイプ１０、１０Ａに対して垂直方向に延在するように設けられる必要はない。たとえば、第２のヒートパイプ２０、２０Ａと第１のヒートパイプ１０、１０Ａとがなす角度が、鋭角であってもよい。
【００９０】
上述の各実施の形態の説明において、少なくとも放熱部４０を含む部材を屋外に配置し、それ以外の部材（少なくとも発熱体３０）を密閉筐体内に配置することができる。これにより、発熱体３０の熱を筐体内部から筐体外部へ移動させて外気へ放熱することができる。したがって、発熱体３０をその場で冷却する必要はなくなる。また、冷却装置１０００、１０００Ａを高密度に実装することを実現しつつ、発熱体３０の熱を確実に冷却することができる。
【００９１】
また、上述の各実施の形態の説明では、放熱部４０が設けられると説明したが、放熱部４０は本発明の必須の構成要素ではない。このため、放熱部４０を設けなくてもよい。
【００９２】
なお、各装置又はシステムの各構成要素の一部又は全部は、例えば図１２に示すような情報処理装置２０００とプログラムとの任意の組み合わせにより実現される。図１２は、冷却装置１０００、１０００Ａ等を実現する情報処理装置の一例を示す図である。
情報処理装置１０００は、一例として、以下のような構成を含む。
【００９３】
・ＣＰＵ（Ｃｅｎｔｒａｌ  Ｐｒｏｃｅｓｓｉｎｇ  Ｕｎｉｔ）２００１
・ＲＯＭ（Ｒｅａｄ  Ｏｎｌｙ  Ｍｅｍｏｒｙ）２００２
・ＲＡＭ（Ｒａｎｄｏｍ  Ａｃｃｅｓｓ  Ｍｅｍｏｒｙ）２００３
・ＲＡＭ２００３にロードされるプログラム２００４
・プログラム２００４を格納する記憶装置２００５
・記録媒体２００６の読み書きを行うドライブ装置２００７
・通信ネットワーク２００９と接続する通信インターフェース２００８
・データの入出力を行う入出力インターフェース２０１０
・各構成要素を接続するバス２０１１
各実施形態における各装置の各構成要素は、これらの機能を実現するプログラム２００４をＣＰＵ２００１が取得して実行することで実現される。各装置の各構成要素の機能を実現するプログラム２００４は、例えば、予め記憶装置２００５やＲＡＭ２００３に格納されており、必要に応じてＣＰＵ２００１が読み出す。なお、プログラム２００４は、通信ネットワーク２００９を介してＣＰＵ２００１に供給されてもよいし、予め記録媒体２００６に格納されており、ドライブ装置２００７が当該プログラムを読み出してＣＰＵ２００１に供給してもよい。
【００９４】
各装置の実現方法には、様々な変形例がある。例えば、各装置は、構成要素毎にそれぞれ別個の情報処理装置２０００とプログラムとの任意の組み合わせにより実現されてもよい。また、各装置が備える複数の構成要素が、一つの情報処理装置２０００とプログラムとの任意の組み合わせにより実現されてもよい。
【００９５】
また、各装置の各構成要素の一部又は全部は、プロセッサ等を含む汎用または専用の回路 （ｃｉｒｃｕｉｔｒｙ）や、これらの組み合わせによって実現される。これらは、単一のチップ によって構成されてもよいし、バスを介して接続される複数のチップ によって構成されてもよい。各装置の各構成要素の一部又は全部は、上述した回路等とプログラムとの組み合わせによって実現されてもよい。
【００９６】
各装置の各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【００９７】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
【符号の説明】
【００９８】
１０、１０Ａ    第１のヒートパイプ
２０、２０Ａ    第２のヒートパイプ
３０    発熱体
４０、４０ａ、４０ｂ    放熱部
５０    アンテナ
６０、６０Ａ    接続部
７０    冷却ファン部
８０    放熱部ホルダー
８１    土台部
８２    第１の仕切り板
８３    第２の仕切り板
１００    制御部
１１０    選択制御部
１２０    動作制御部
２００    ロータリスイッチ
ＳＷ    スイッチ端子
１０００、１０００Ａ    冷却装置
２０００    情報処理装置
２００１    ＣＰＵ
２００２    ＲＯＭ
２００３    ＲＡＭ
２００４    プログラム
２００５    記憶装置
２００６    記録媒体
２００７    ドライブ装置
２００８    通信インターフェース
２００９    通信ネットワーク
２０１０    入出力インターフェース
２０１１    バス
【図１】
2018004123.tif 000003
【図２】
2018004123.tif 000004
【図３】
2018004123.tif 000005
【図４】
2018004123.tif 000006
【図５】
2018004123.tif 000007
【図６】
2018004123.tif 000008
【図７】
2018004123.tif 000009
【図８】
2018004123.tif 000010
【図９】
2018004123.tif 000011
【図１０】
2018004123.tif 000012
【図１１】
2018004123.tif 000013
【図１２】
2018004123.tif 000014